(57)【要約】      （修正有）【課題】トイレットペーパーをセットし、繰り出し、折り畳み、切断、新しいペーパーへの交換を、ホルダーに触れることなく片手で行えるトイレットペーパーホルダーを提供する。【解決手段】ホルダー背面板１の左右いずれか一方に設けられた側面支持板２に取り付けられ、ロールペーパーを所定の抵抗にて回動可能に支持する芯棒となるペーパー装填ローラー４と、ロールペーパーの貼り付きを剥がす剥離バー３と、剥がされたペーパーを下部に案内する案内ガイド６、７と、案内ガイド下部に配置され、ペーパーを回動して押さえるとともに、所定の長さで切断する切断部・押さえ部８と、案内ガイド下部に配設されペーパーを折り畳む受け部９と、から成る。【選択図】図１
0003198159.tif 000002
【実用新案登録請求の範囲】
【請求項１】
背面板の左右いずれか一方に設けられた側面板に取り付けられ、ロールペーパーを所定の抵抗にて回動可能に支持する芯棒と、該ロールペーパーの貼り付きを剥がす剥離バーと、剥がされたペーパーを下部に案内する案内ガイドと、該案内ガイド下部に配置され、前記ペーパーを回動して押さえるとともに、所定の長さで切断する切断部・押さえ部と、前記案内ガイド下部に配設され前記ペーパーを折り畳む受け部と、から成ることを特徴とするトイレットペーパーホルダー。
【請求項２】
前記芯棒は、ロールペーパーの軸部を装着可能な先端形状を有して該ロールペーパーを着脱可能とし、該ロールペーパーの自重による自由回動を不能に支持し、該ロールペーパーを片手によって所定の抵抗を有して回動可能であることを特徴とする請求項１記載のトイレットペーパーホルダー。
【請求項３】
前記剥離バーは、前記芯棒に平行して配置され、ロールペーパーを差し入れ可能な位置に離間して設けられることを特徴とする請求項１記載のトイレットペーパーホルダー。
【請求項４】
前記切断部・押さえ部は、前記側面板に軸支され、一端側が前記案内ガイド内に回動して当接する押さえ部を有し、前記案内されたペーパーを固定する共に、他端側に設けられた切断刃によって該ペーパーを切断することを特徴とする請求項１記載のトイレットペーパーホルダー。
【請求項５】
前記受け部は、前記案内ガイド下部に設けられ、ヒンジ部材によって背面板側に折り畳み可能とされる共に、内部中央に山形のガイド部を有し、また該ガイド部の前後、左右には案内されるペーパーを受ける堰部が設けられたことを特徴とする請求項１記載のトイレットペーパーホルダー。
【考案の詳細な説明】
【技術分野】
【０００１】
本発明は、トイレットペーパーホルダーに係り、電源を必要とせずトイレットロールペーパーをホルダーに手を触れることなく取り付け、繰り出して、綺麗なペーパーの束を作り、切断するまでを片手で行え、ペーパーの交換も片手で出来、従来のような両手で引き出して使用する事もできるトイレットペーパーホルダーに関するものである。
【背景技術】
【０００２】
従来のトイレットホルダーでの、引き出して切断するまでの工程は、片手もしくは両手で紙を必要量引き出し、片手で紙を持ち、空いた手で上部カバーを押さえトイレットペーパー固定をし、上部カバーの切断機能で切断する、というように両手での作業を必要とした。
片手で引き出せる装置は、電動式や、ローラーやギアで送り出すものであった。（特許文献１参照）また、片手で切断出来るというものであっても、折り畳みに配慮されているものは少なく、綺麗に折り畳みできる機能も少ない。（特許文献２参照）しかも、一体型の装置となっているため、使用方法も限定されており、使用条件に合わせて変更できないものであった。
【０００３】
上記の工程の不都合は、片手が自由に使えない身障者や高齢者、介助者、看護者など補助しながらの使用の必要がある場合、状況によって両手が使えず、片手しか使えない場合、衛生面を気にする方が、ホルダーに触れることを気にする場合や、紙の端部がうまく掴めない場合等が想定される。
【０００４】
そこで、トイレットペーパーを繰り出してから折り畳み、束ね、切断、さらにペーパーの交換作業まで片手で行うことができ、しかも衛生面を気にする方がホルダーに触れることなく上記の工程ができる手段が期待される。
【先行技術文献】
【特許文献】
【０００５】
【特許文献１】特開２００３−７２９９８号公報
【特許文献２】特開２００２−３０６３６９号公報
【考案の概要】
【考案が解決しようとする課題】
【０００６】
本考案が解決しようとする課題は、片手が自由に使えない身障者や高齢者、介助者、看護者など補助しながらの使用の必要がある場合、状況によって両手が使えず、片手しか使えない場合、衛生面を気にする方が、ホルダーに触れることを気にする場合や、紙の端部がうまく掴めない場合等に、片手でトイレットペーパーをホルダーに触れることなく衛生的に繰り出して、ペーパーの束を作り、切断を行い、さらにロールペーパーの交換作業も可能とし、従来と同様に両手での使用もできる、電力を必要としないシンプルな構造のトイレットペーパーホルダーを提供することである。
【課題を解決するための手段】
【０００７】
上述した課題を解決するために、本考案にあっては、背面板の左右いずれか一方に設けられた側面板に取り付けられ、ロールペーパーを所定の抵抗にて回動可能に支持する芯棒と、該ロールペーパーの貼り付きを剥がす剥離バーと、剥がされたペーパーを下部に案内する案内ガイドと、該案内ガイド下部に配置され、前記ペーパーを回動して押さえるとともに、所定の長さで切断する切断部・押さえ部と、前記案内ガイド下部に配設され前記ペーパーを折り畳む受け部と、から成ることを特徴とする。
【０００８】
また、前記芯棒は、ロールペーパーの軸部を装着可能な先端形状を有して該ロールペーパーを着脱可能とし、該ロールペーパーの自重による自由回動を不能に支持し、該ロールペーパーを片手によって所定の抵抗を有して回動可能であり、前記剥離バーは、前記芯棒に平行して配置され、ロールペーパーを差し入れ可能な位置に離間して設けられることを特徴とする。
【０００９】
そして、前記切断部・押さえ部は、前記側面板に軸支され、一端側が前記案内ガイド内に回動して当接する押さえ部を有し、前記案内されたペーパーを固定する共に、他端側に設けられた切断刃によって該ペーパーを切断することを特徴とする。
【００１０】
さらに、前記受け部は、前記案内ガイド下部に設けられ、ヒンジ部材によって背面板側に折り畳み可能とされる共に、中央位部に山形のガイド部を有し、また該ガイド部の前後、左右には案内されるペーパーを受ける堰部が設けられたことを特徴とする。
【考案の効果】
【００１１】
本考案によれば、シンプルな構造で、トイレットペーパーをホルダーに手を触れることなく衛生的に取り付け、ペーパーを繰り出し、綺麗な束を形成して切断することができる。
【００１２】
また、ロールペーパーの交換も片手で行うことができるため、片手が自由に使えない身障者や高齢者、介助者、看護者など補助しながらの使用の必要がある場合、状況によって両手が使えず、片手しか使えない場合、衛生面を気にする方が、ホルダーに触れることを気にする場合や、紙の端部がうまく掴めない場合等の不便さも解消される。尚、従来のように両手によって引き出して使用することもできるため、トイレ全般に設置しても一般の方に煩わしさを感じない。
【図面の簡単な説明】
【００１３】
【図１】本考案を実施するための一形態におけるトイレットペーパーホルダーの斜視図である。
【図２】トイレットペーパーホルダーの正面図である。
【図３】トイレットペーパーホルダーの側面説明図である。
【図４】トイレットペーパーホルダーの側面説明図である。
【図５】押さえ部の拡大説明図である。
【図６】ペーパーを折り畳む状態を示す説明図である。
【図７】受け部を使用せず使用する状態を示す説明図である。
【考案を実施するための形態】
【００１４】
以下、図面を参照して本考案の実施の一形態を詳細に説明する。
【００１５】
図１、図２に示すように、本考案に係るトイレットペーパーホルダーは、ホルダー背面板１、側面支持板２、５、剥離バー３、ペーパー装填ローラー４、案内ガイド６、７、切断部・押さえ部８、受け部９と、から概ね構成されている。
【００１６】
ホルダー背面板１は、側面支持板２、５、受け部９を支え、後述する受け部９を格納可能とする。側面支持板２は、剥離バー３、ペーパー装填ローラー４を支持し、その内面側には後述するローラー収納部を有し、ペーパー装填ローラー４を収納可能とする。剥離バー３は、背面板１、又は側面支持板２に支持され、ペーパー装填ローラー４に装填されたロールペーパーからペーパーの剥離を行い、ペーパー装填ローラー４から所定の距離離間して設けられる。
【００１７】
ペーパー装填ローラー４は、ロールペーパー筒芯に密着する形状に形成されており、ロールペーパーの回転に一定の抵抗を持たせている。尚、このペーパー装填ローラー４は筒芯のないロールペーパーに対応可能とする。
【００１８】
案内ガイド６、７は、側面支持板２、５によって狭持され、上方に向かって開口して設けられており、ロールペーパーから剥離して繰り出されるペーパーを導く。また、案内ガイド６、７の下部両端には切り欠き部が形成されており、後述する切断部・押さえ部８と係合する。
【００１９】
切断部・押さえ部８は、側面支持板２、５に狭持され、支持軸芯１０によって回動可能な振り子状構造となっており、その一端側は案内ガイド６、７の下部の切り欠き部に対応する形状に形成された押さえ部とされ、他端部は、上述した引き出されたペーパーを切断するカッター部８ａが設けられている。この構成により、図５ａ、図５ｂに示すように、切断部・押さえ部８は通常時には案内ガイド７側に固定され、ペーパー引き出し時には、案内ガイド６側に傾き、ペーパーを押さえ固定する。
【００２０】
次に、図３、図４に示すように、受け部９は、上述した引き出されたペーパーを折り畳んで受ける構造であり、ホルダー背面板１に固定された台座１１に支点１２によって収納可能とされており、左右一対の側面ガイド１３が立設され、その上部はＶ字形状に開放されている。また、受け部９の中央には山形ガイド１４が引き出されたペーパーと平行に形成されており、引き出されたペーパーの折り返し部の厚みを吸収し、均一な折り返しが形成される。
【００２１】
受け部９の底部１５は、引き出されたペーパーの折り返し部の厚みを吸収し、均一な折り返しを形成するため、台座１１と、前側堰１６と山形ガイド１４の間に幅１０mm〜２０mm形成されており、この底部１５と山形ガイド１４と、後述する前側堰１６の中央部には、ペーパー取り出し開口部１７が形成されている。
【００２２】
前側堰１６は台座１１に対向して立設され、受け部９の底部１５からの高さを５０mmを理想とし、４０mm〜６０mmの範囲が望ましい。尚、上記の台座１１は後側堰を兼ねており、その高さも前側堰１６と同じ高さが望しい。さらに、この台座１１の形状は、支点１２によって収納する際に、上述した山形ガイド１４と干渉しない形状とされる。
【００２３】
ローラー収納部１８は、側面支持板２内側に設けられており、取り外したペーパー装填ローラー４を収納保管できる。
【００２４】
次に、以上のように構成された形態についての使用の一例を、図３〜図７に基づいて説明する。
【００２５】
まず、図３に示すように、本考案のトイレットペーパーホルダーの側面からペーパー装填ローラー４にトイレットペーパーを挿入する。次に、トイレットペーパーを引き出して剥離バー３に沿わせて通し、案内ガイド６、７間を通して切断部・押さえ部８の下部まで繰り出して準備が終わる。
【００２６】
次に図６ａ〜図６ｄに示すように、ペーパー装填ローラー４に挿入したトイレットペーパーを手前下に回し、山形ガイド１４、左右一対の側面ガイド１３に導かれながら前側堰１６と台座１１に当たり、山形ガイド１４で折り返し部の厚みを吸収しながら折り返され、束が作られる。
【００２７】
必要な束ができたら、開口部１７から手指を入れ、ペーパーの束を掴み、手前上に引き上げると切断部・押さえ部８が回動して案内ガイド内側面と当接し、ペーパーを押圧して固定する。ここでペーパーをカッター部８ａに沿わせて引き動かすことによって切断することができる。尚、図４および図７は受け台を使用せずにペーパーを使用する例を示しており、図７ａ〜図７ｃに示すように、受け台を背面板に折り畳んだ状態でペーパーを引き出して折り畳み、切断して使用することができる。
【産業上の利用可能性】
【００２８】
本考案によれば、トイレ全般のトイレットペーパーホルダーとして使用できる。
【符号の説明】
【００２９】
１…ホルダー背面板
２…側面支持板
３…剥離バー
４…ペーパー装填ローラー
５…側面支持板
６…案内ガイド
７…案内ガイド
８…切断部・押さえ部
８ａ…カッター部
９…受け部
１０…支持軸芯
１１…台座
１２…支点
１３…側面ガイド
１４…山形ガイド
１５…底部
１６…前側堰
１７…開口部
１８…ローラー収納部
【図１】
0003198159.tif 000003
【図２】
0003198159.tif 000004
【図３】
0003198159.tif 000005
【図４】
0003198159.tif 000006
【図５】
0003198159.tif 000007
【図６】
0003198159.tif 000008
【図７】
0003198159.tif 000009